(57)【要約】【課題】  光量が低い領域での高分解能と、全体としての広いダイナミックレンジとを両立した光量の調整を、安価に行えるようにする。【解決手段】  発光光量の設定値に応じて、発光素子を制御するための制御信号を生成するようにした。このとき、発光光量の設定値に応じて、制御信号の電流値とデューティー比がそれぞれ異なるようにした（Ｃ）。また、発光光量の設定値が所定の閾値より小さいときには、その設定値に応じて電流値とデューティー比がそれぞれ異なり、発光光量の設定値が所定の閾値より大きいときには、その設定値に応じて電流値が異なる一方デューティー比は一定であるようにするとよい。【選択図】        図２
2014186972.tif 000002
【特許請求の範囲】
【請求項１】
発光素子の発光光量を指定する１つのパラメータの現在値に応じて、発光素子を制御するための制御信号を生成する生成手段を備え、
前記生成手段が生成する制御信号は、前記パラメータの現在値に応じて、電流値とデューティー比がそれぞれ異なることを特徴とする制御信号生成装置。
【請求項２】
請求項１に記載の制御信号生成装置であって、
前記生成手段が生成する制御信号は、前記パラメータの現在値が所定の閾値より小さいときには、該パラメータの現在値に応じて電流値とデューティー比がそれぞれ異なり、前記パラメータの現在値が所定の閾値より大きいときには、前記パラメータの現在値に応じて電流値が異なる一方デューティー比は一定であることを特徴とする制御信号生成装置。
【請求項３】
請求項１又は２に記載の制御信号生成装置であって、
制御手段と、
前記制御手段が設定した電圧値の直流電圧信号を出力する電圧信号出力手段と、
前記制御手段が設定したデューティー比のパルス信号を出力するパルス信号出力手段とを備え、
前記生成手段は、前記制御信号として、前記直流電圧信号の電圧値に応じた電流値の電流を、前記パルス信号が示すタイミングで前記発光素子に印加する信号を生成することを特徴とする制御信号生成装置。
【請求項４】
請求項１乃至３のいずれか一項に記載の制御信号生成装置と、表示装置とを備える音響信号処理装置であって、
前記制御信号生成装置が前記表示装置のバックライトを制御するための制御信号を生成することを特徴とする音響信号処理装置。
【発明の詳細な説明】
【技術分野】
【０００１】
この発明は、発光素子を制御するための制御信号を生成する制御信号生成装置及び、このような制御信号生成装置を備えた音響信号処理装置に関する。
【背景技術】
【０００２】
従来から、発光素子に印加する電流を制御することにより、発光素子の発光光量を制御することが行われている。
例えば、特許文献１には、放電灯点灯装置の調光回路が、放電灯を所定電流値を超えて点灯する時は電流調光方式で動作し、上記所定電流値以下で点灯する時はパルス調光方式で動作することが記載されている。この電流調光方式は、発光素子に印加する電流の電流値を変化させて調光する方式であり、パルス調光方式は、電流印加のＯＮ期間とＯＦＦ期間のデューティー比を変化させることにより調光を行う方式である。
【０００３】
また、特許文献２には、静的調光信号処理部の出力に基づいてバースト調光方式（特許文献１のパルス調光方式に相当）の光量制御を行い、動的輝度変調部の出力に基づいて電流調光方式の光量制御を行うことが記載されている。
【先行技術文献】
【特許文献】
【０００４】
【特許文献１】特開平１０−１１２３９６号公報
【特許文献２】特許第４６８６９０１号公報
【発明の概要】
【発明が解決しようとする課題】
【０００５】
ところで、デジタルミキサ等の音響信号処理装置は、ホール内などの暗い環境から、日中の屋外など明るい環境まで、明るさの大きく異なる環境で使用される。従って、それぞれの環境に合わせて、表示画面の明るさを、大きなダイナミックレンジで調整可能であることが望まれる。
【０００６】
また、特に暗い環境においては、表示画面が明るいとその光が周囲に漏れて上演等の妨げとなる可能性がある一方、画面が見えないと操作ができない。このため、暗い環境で明るさを調整するためには、極めて光量の低い領域で複数段階の光量設定が可能となるような、分解能の高い調整機能が要求される。
逆に、明るい環境においては、同じ屋外でも曇りの日と晴れの日では適正な明るさが大きく異なる。このため、細かい調整より、広い範囲で明るさを調整可能であることが要求される。
【０００７】
このような要求のある光量調整に、特許文献１に記載の構成を採用することを考えると、低光量の領域ではパルス調光方式を採用し、電流をなるべく押さえてデューティー比により光量を制御することが考えられる。また、高光量の領域では電流調光方式を採用し、印加電流を大きく変えることにより光量を制御することが考えられる。
しかし、この構成では、パルス調光方式と電流調光方式を切り換える上記所定電流値付近において、光量の設定値の変化に応じた光量の変化の仕方が大きく変わることになる。従って、操作感が不自然になるという問題があった。
【０００８】
また、特許文献２に記載の構成のように、ユーザの設定に応じた光量の調整を全てパルス調光方式により行うようにすると、暗い領域においては、発光素子に印加する電流値の制御を、非常に高い分解能で行う必要がある。従って、光量の設定や、それに伴う電流値の設定に、分解能の高いコントローラが必要となり、コスト高になるという問題があった。
なお、同様な問題は、音響信号処理装置以外においても、幅広い環境での利用が考えられる発光素子の発光光量を調整しようとする場合に、同様に発生するものである。
【０００９】
この発明は、このような背景に鑑みてなされたものであり、光量が低い領域での高分解能と、全体としての広いダイナミックレンジとを両立した光量の調整を、安価に行えるようにすることを目的とする。
【課題を解決するための手段】
【００１０】
上記の目的を達成するため、この発明の制御信号生成装置は、発光素子の発光光量を指定する１つのパラメータの現在値に応じて、発光素子を制御するための制御信号を生成する生成手段を備え、上記生成手段が生成する制御信号は、上記パラメータの現在値に応じて、電流値とデューティー比がそれぞれ異なるようにしたものである。
【００１１】
このような制御信号生成装置において、上記生成手段が生成する制御信号が、上記パラメータの現在値が所定の閾値より小さいときには、そのパラメータの現在値に応じて電流値とデューティー比がそれぞれ異なり、上記パラメータの現在値が所定の閾値より大きいときには、上記パラメータの現在値に応じて電流値が異なる一方デューティー比は一定であるようにするとよい。
【００１２】
さらに、制御手段と、上記制御手段が設定した電圧値の直流電圧信号を出力する電圧信号出力手段と、上記制御手段が設定したデューティー比のパルス信号を出力するパルス信号出力手段とを設け、上記生成手段が、上記制御信号として、上記直流電圧信号の電圧値に応じた電流値の電流を、上記パルス信号が示すタイミングで上記発光素子に印加する信号を生成するようにするとよい。
【００１３】
また、この発明の音響信号処理装置は、上記のいずれかの制御信号生成装置と、表示装置とを設け、上記制御信号生成装置が上記表示装置のバックライトを制御するための制御信号を生成するようにしたものである。
【発明の効果】
【００１４】
以上のようなこの発明の制御信号生成装置及び音響信号処理装置によれば、光量が低い領域での高分解能と、全体としての広いダイナミックレンジとを両立した光量の調整を、安価に行えるようにすることができる。
【図面の簡単な説明】
【００１５】
【図１】この発明の制御信号生成装置の実施形態である照明装置の構成を示す図である。
【図２】光量パラメータの現在値とＬＥＤドライバが出力する駆動信号の実効電流値との関係を示す図である。
【図３】図２と同じ関係を両対数軸で示す図である。
【図４】光量の設定分解能について説明するための図である。
【図５】その別の図である。
【図６】この発明の制御信号生成装置を備える音響信号処理装置の実施形態であるデジタルミキサの構成を示す図である。
【発明を実施するための形態】
【００１６】
以下、この発明を実施するための形態を図面に基づいて具体的に説明する。
まず、図１に、この発明の制御信号生成装置の実施形態である照明装置の構成を示す。
この照明装置１０は、生成手段を構成するコントローラ１１、ＤＣ（直流）変調回路１２、ＰＷＭ（パルス幅変調）変調回路１３、およびＬＥＤ（発光ダイオード）ドライバ１４を備え、これらにより、発光素子であるＬＥＤ１５の点灯を制御するための制御信号を生成する。そして、ＬＥＤドライバ１４がその制御信号をＬＥＤ１５に印加することにより、所望の光量でＬＥＤ１５を点灯させる。
【００１７】
コントローラ１１は、ＬＥＤ１５の発光光量の指定を受け付け、指定された光量を、１つの光量パラメータの値として記憶する機能を備える。そして、その光量パラメータの現在値（現在設定されている値）に基づき、ＤＣ変調回路１２に設定する電圧値及びＰＷＭ変調回路１３に設定するデューティー比を取得し、それらの値を設定する。電圧値及びデューティー比の値の取得は、予め光量パラメータの現在値との対応関係を記憶したテーブルを検索することによって行ったり、何らかの演算により行ったりすることが考えられる。他の手法でもよい。また、光量の指定受付は、ノブ、スライダ、ロータリーエンコーダ等の物理的な操作子によって行ってもよいし、ＧＵＩ（グラフィカルユーザインタフェース）のように画面に表示させた仮想の操作子によって行ってもよい。
【００１８】
ＤＣ変調回路１２は、コントローラ１１が設定した電圧値のＤＣ電圧信号を出力する電圧信号出力手段である。なお、電圧値は、例えば５ビットの分解能で設定可能である。この場合、設定された５ビットの数値をＸ（０〜３１）とすると、ＤＣ変調回路１２は、電圧の最大値×（Ｘ＋１）／３２の電圧値の信号を出力するようにすることが考えられる。
【００１９】
ＰＷＭ変調回路１３は、コントローラ１１が設定したデューティー比のＰＷＭ波形信号を出力するパルス信号出力手段である。ＰＷＭ波形は、全体のうちデューティー比が示す期間だけハイ、残りの期間がローの矩形波である。周波数は任意でよいが、表示にチラツキが生じない程度の周波数とする。また、デューティー比は、例えば５ビットの分解能で設定可能である。この場合、設定された８ビットの数値をＹ（０〜３１）とすると、ＰＷＭ変調回路１３は、１００％×（Ｙ＋１）／３２のデューティー比のＰＷＭ波形を出力するようにすることが考えられる。
【００２０】
ＬＥＤドライバ１４は、ＤＣ変調回路１２から入力するＤＣ電圧信号の電圧値に比例した電流値であり、ＰＷＭ変調回路１３から入力するＰＷＭ波形がハイのタイミングでオンとなる駆動信号を生成し、ＬＥＤ１５に対して印加する。従って、ＬＥＤ１５に印加される駆動信号の実効電流は、その電流値×デューティー比となる。
【００２１】
ＬＥＤ１５は、ＬＥＤドライバ１４により印加される駆動信号の実効電流値に概ね比例する光量で点灯する。従って、コントローラ１１がＤＣ変調回路１２に設定する電圧値が大きいほど、またコントローラ１１がＰＷＭ変調回路１３に設定するデューティー比が多きいほど、ＬＥＤ１５は明るく点灯することになる。
【００２２】
次に、図２及び図３を用いて、光量パラメータの現在値とＬＥＤドライバ１４が出力する駆動信号の実効電流値との関係について説明する。
図２及び図３はそれぞれ、光量パラメータの現在値と、ＬＥＤドライバ１４が出力する駆動信号の実効電流値との関係を示すグラフである。なお、実効電流値は、出力可能な最大値との比で示している。また、図２では両軸とも等差目盛で、図３では両軸とも対数目盛で値を示しているが、グラフにプロットした値はどちらも同じである。
また、図２及び図３の例では、光量パラメータの値は５ビットで設定するものとし、対数軸での表示の便宜を考慮して、値の範囲は１〜３２としている。また、（Ｃ）で示す例が本発明の実施形態であり、（Ａ）及び（Ｂ）で示す例は、実施形態の効果を説明するための比較例である。
【００２３】
まず（Ａ）は、光量パラメータの値の全域で電流調光方式（電流値制御）を採用した場合の例である。
この場合、光量パラメータの現在値をＮとして、ＤＣ変調回路１２に設定する電圧値ＸをＸ＝Ｎ−１とする。また、光量パラメータの値の全域に亘って、ＰＷＭ変調回路１３に設定するデューティー比Ｙは最大値の３１である。従って、光量パラメータの値が最大の時の実効電流値が１００％であるとすると、光量パラメータの各値と対応する実効電流値は、値の減少に従って徐々に減少し、現在値Ｎが１の時、１００×（１／３２）≒３％となる。図３の符号２３で示す箇所を参照されたい。
【００２４】
この（Ａ）のように電流調光方式のみを用いる方式であると、ＤＣ変調回路１２の設定分解能の制約から、光量の下限をさほど下げられないことがわかる。また、Ｎ＝２と対応する実効電流値は１００×（２／３２）≒６％となってしまう。従って、光量が低い領域での細かい光量調整もできない。
【００２５】
次に（Ｂ）は、光量パラメータの現在値が閾値以上である光量の大きい領域では電流調光方式を採用し、現在値が閾値未満の領域ではパルス調光方式（デューティー制御）を採用した場合の例である。
ここでは閾値は１７としており、光量パラメータの値が１７〜３２の間で、ＤＣ変調回路１２に設定する電圧値Ｘを概ね最大から最小まで変化させる。そこで、光量パラメータ現在値をＮとして、電圧値ＸをＸ＝２Ｎ−３３としている。この間、ＰＷＭ変調回路１３に設定するデューティー比Ｙは最大値の３１である。また、光量パラメータの値が１〜１６の間では、電圧値Ｘは０とし、ＰＷＭ変調回路１３に設定するデューティー比Ｙを概ね最大から最小まで変化させる。このために、デューティー比ＹはＹ＝２Ｎ−２としている。
【００２６】
この方式であっても、光量パラメータの各値と対応する実効電流値は、値の減少に従って徐々に減少する。そして、現在値Ｎが１の時、１００×（１／３２）×（１／３２）≒０．１％となる。図３の符号２４で示す箇所を参照されたい。
この（Ｂ）のように、光量パラメータの現在値の範囲によって電流調光方式とパルス調光方式を使い分けると、（Ａ）の場合より光量の調整可能範囲は広くなる。また、Ｎ＝２と対応する実効電流値は１００×（１／３２）×（３／３２）≒０．３％であり、光量が低い領域での細かい光量調整も可能である。
【００２７】
しかしながら、電流調光方式の電流調整を、（Ａ）と比べて少ない段階数で行わなければならないため、この範囲での、光量パラメータの値の変化に応じた実効電流値の変化が急になる。また、電流調光方式とパルス調光方式を切り換える箇所では、光量パラメータの値の変化に応じた実効電流値の変化の度合いが急激に変化することになる。電流調光方式の範囲では、光量パラメータの値を１変えると実効電流値（すなわちＬＥＤ１５の発光光量）が大きく変化していたのに、パルス調光方式の範囲では、光量パラメータの値を１変えても実効電流値があまり変化しない、という具合である。このため、光量設定の際の操作感が不自然になる。図３の符号２２で示す箇所を参照されたい。
【００２８】
また、光量パラメータの値の広い範囲に亘ってＤＣ変調回路１２の電圧値（ＬＥＤドライバ１４による駆動信号の電流値）として最低電圧（電流）を用いることになる。しかし、ＬＥＤ１５の発光光量は、電流値が低い状態では製造誤差による個体のバラツキが大きく、安定した発光が難しい。この点で、（Ｂ）の方式でも光量が低い領域での細かな光量調整を適切に行うことができるとは言い難い。
【００２９】
次に（Ｃ）は、光量パラメータの現在値が閾値以上である光量の大きい領域では電流調光方式を採用し、現在値が閾値未満の領域では電流調光方式とパルス調光方式を併用した場合の例である。
（Ｃ）の例では、光量パラメータの値の全域に亘って（Ａ）と同じ電流調光方式の電流制御を行いつつ、光量パラメータの値が１〜１６の間では、パルス調光方式も併用する。すなわち、ＰＷＭ変調回路１３に設定するデューティー比Ｙをこの範囲で概ね最大から最小まで変化させる。このために、デューティー比Ｙは（Ｂ）の例と同様、Ｙ＝２Ｎ−２としている。
【００３０】
この（Ｃ）のように、電流調光方式とパルス調光方式を併用すると、（Ｂ）の場合と同様、光量調整のダイナミックレンジは広くなる。図３の符号２４で示す箇所を参照されたい。また、Ｎ＝２と対応する実効電流値は１００×（２／３２）×（３／３２）≒０．６％であり、光量が低い領域での光量調整の分解能も十分確保できる。
【００３１】
さらに、ＤＣ変調回路１２の電圧値の変動を、光量パラメータの値の全範囲において一律としつつ、一部の範囲でそれに加えてＰＷＭ変調回路１３に設定するデューティー比を変動させている。従って、光量パラメータの値の変化に応じた実効電流値の変化の度合いが急激に変化することもない。このため、光量設定の際の操作感が不自然になることもない。図３の符号２１で示す箇所を参照されたい。
【００３２】
さらにまた、光量の低い領域においても、ＬＥＤ１５の駆動信号の電流値は、基本的に最低値より高い値となるため、安定した光量での発光が可能である。すなわち、ＬＥＤ１５の個体毎の特性バラツキの影響が出にくい。
以上の通りであるので、（Ｃ）のように電流調光方式とパルス調光方式を併用することにより、光量が低い領域での高分解能と、全体としての広いダイナミックレンジとを両立した光量の調整を、適切に行うことが可能となる。
【００３３】
また、約１０００倍（１０ビットに相当）のダイナミックレンジを得るために、コントローラ１１、ＤＣ変調回路１２及びＰＷＭ変調回路１３は各５ビットのデータを扱えるように構成すれば足りる。一般に、扱うビット数が多いほど回路がコスト高となるため、（Ｃ）の方式によれば、安価な回路を用いて広いダイナミックレンジを実現できると言える。
【００３４】
また、ＬＥＤ１５の個体毎の特性バラツキの影響が出にくいことにより、逆に言えば、照明装置１０の製造時において、特性バラツキの解消の度合いが多少低くても発光ムラが目立たないようにできる。従って、この点で照明装置１０の製造時におけるキャリブレーションの負担を軽減し、コストダウンを図ることができる。
【００３５】
なお、（Ｃ）の方式において、光量が大きい場合にパルス調光方式を併用していないのは、ノイズを防止するためである。電流値の大きな信号のオンオフを切り換えると、ノイズの影響が大きいが、デューティー比が１００％であればオンオフの切り換えが起こらないので、駆動信号の電流値を大きくてもノイズが発生しないようにすることができる。
【００３６】
ここで、図４を用いて、（Ｃ）の方式における、光量パラメータの現在値とＬＥＤ駆動信号の実効電流値との関係についてさらに説明する。
図４において、ａ〜ｈは、それぞれ光量パラメータの最大値に対して１／８〜８／８となる値を示す。
【００３７】
図２（Ｃ）の例では、光量パラメータの現在値が、最大値の半分の値（ｄ）より大きい場合、電流調光方式のみを用いている。この場合、光量パラメータの値の変化に対して実効電流値（及びＬＥＤの発光光量）の変化がリニアになる。一方、現在値が最大値の半分の値より小さい場合、電流調光方式とパルス調光方式とを併用している。この場合、光量パラメータの値の変化に対する実効電流値の変化は、光量が低い領域ではわずかであり、光量が高い領域では大きくなる。このため、光量が低い領域で、高分解能の光量調整が可能となっている。これは、光量パラメータの値の増加に応じて駆動信号の電流値とデューティー比の双方を増加させるようにしているため、実効電流値が光量パラメータの値の２次関数となるからである。
【００３８】
なお、現在値がｃ〜ｄの範囲にある場合、ｄ以上の場合よりも分解能は落ちている。しかし、この辺りの中間的な光量を設定するニーズはあまり高くないと考えられるため、多少分解能が落ちても問題ない。逆に、ニーズの薄い光量範囲に分解能の低い領域が来るように、電流調光方式とパルス調光方式とを併用する範囲や、ＤＣ変調回路１２に設定可能な電圧値、およびＰＷＭ変調回路１３に設定可能なデューティー比の値を定めるとよい。
【００３９】
なお、ここではコントローラ１１における光量パラメータの値、ＤＣ変調回路１２における電圧の設定値及びＰＷＭ変調回路１３におけるデューティー比の設定値が各５ビットである例について説明したが、これには限られない。例えばこれらの値が８ビットであってもよい。
【００４０】
このようにすれば、８ビットの光量の設定値を用いて、１６ビットのダイナミックレンジを持つ光量調整が可能である。ただし、電圧値やデューティー比のダイナミックレンジの全体を使うと、駆動信号の電流値が低くなりすぎ、またＯＮ時間も短くなりすぎてＬＥＤが正常に点灯できない可能性があるので、ダイナミックレンジは１３ビット程度に留めることが望ましい。
【００４１】
ところで、光量パラメータの値が何ビットであっても、その現在値と、ＤＣ変調回路１２に設定する電圧値、及びパルス調光方式を併用する範囲でＰＷＭ変調回路１３に設定するデューティー比との関係がリニアであれば、図４に示した関係が維持される。
しかし、このようにすることは必須ではない。例えば、ＤＣ変調回路１２の電圧値や、ＰＷＭ変調回路１３のデューティー比を、光量パラメータの値より細かく設定できる場合、パルス調光方式を併用する範囲において、設定値が小さいほど、光量パラメータの値１当たりの電圧値及び／又はデューティー比の変化幅が小さくなるようにすることも考えられる。
【００４２】
このようにすると、図５に示すように、光量の小さい領域（例えば光量パラメータの現在値がｂ以下の範囲）での光量設定の分解能を、図４の場合よりも一層向上させることができる。光量の小さい範囲での精密な調整が重要な場合、このような構成が有用である。なお、図５の例ではｂ〜ｄの範囲では図４の例より分解能が低下しているが、設定ニーズの高くない光量がこの範囲に来るようにすれば、特に問題はない。
【００４３】
また、以上説明してきた照明装置１０は、デジタルミキサ等の音響信号処理装置において、液晶パネル等の表示装置のバックライトとして用いることが考えられる。この場合、ＬＥＤ１５をバックライトとし、コントローラ１１〜ＬＥＤドライバ１４を、ＬＥＤ１５の点灯を制御するための制御信号を生成する制御信号生成装置とするとよい。
【００４４】
図６に、照明装置１０を搭載したデジタルミキサのハードウェア構成例を示す。
このうち、ＣＰＵ３１は、デジタルミキサ３０の動作を統括制御する制御手段であり、フラッシュメモリ３２に記憶された所要の制御プログラムを実行することにより、種々の制御機能を実現する。ＣＰＵ３１がコントローラ１１を兼ねてもよい。
フラッシュメモリ３２は、ＣＰＵ３１が実行する制御プログラムを始め、電源を切っても残しておくべきデータを記憶する書き換え可能な不揮発性記憶手段である。
【００４５】
ＲＡＭ３３は、一時的に記憶すべきデータを記憶したり、ＣＰＵ３１のワークメモリとして使用したりする記憶手段である。
表示器３４は、ＣＰＵ３１による制御に従って種々の情報を表示する表示手段であり、バックライトとしてＬＥＤ１５を備えた表示パネルを含む。
操作子３５は、デジタルミキサ３０に対する操作を受け付けるためのものであり、種々のキー、ボタン、ロータリーエンコーダ、ノブ、スライダ等によって構成することができる。
波形入出力部（Ｉ／Ｏ）３６は、デジタルミキサ３０の外部との間で音響信号を入出力するためのインタフェースである。
【００４６】
ＤＳＰ３７は、波形Ｉ／Ｏ３６から入力した音響信号に対し、ミキシング、イコライジング、エフェクト付与を始めとする種々の処理を行い、その結果を波形Ｉ／Ｏ３６に供給して外部へ出力させる、音響信号処理手段である。
システムバス３８は、これらの各部を接続する。
【００４７】
以上のようなデジタルミキサ３０は、明るさの大きく異なる環境で使用される上、暗い環境における分解能の高い調整のニーズが大きい。従って、照明装置１０を適用することにより、光量が低い領域での高分解能と広いダイナミックレンジとを両立した光量の調整を可能とすることは、特に有用である。
【００４８】
以上で実施形態の説明を終了するが、この発明が上述の実施形態で説明したものに限られないことはもちろんである。
例えば、上述の実施形態ではＬＥＤ１５の発光光量を指定するパラメータの値が概ね最大値の半分以下である場合に電流調光方式とパルス調光方式とを併用するようにしたが、これに限られない。より広い範囲で、またはより狭い範囲で、電流調光方式とパルス調光方式とを併用するようにしてもよい。電流調光方式のみを用いる範囲を設けず、パラメータの値の全範囲で電流調光方式とパルス調光方式とを併用するようにしてもよい。
【００４９】
また、上述の実施形態では、ＬＥＤ１５の発光光量を指定するパラメータの値に従い、ＤＣ変調回路１２の電圧値を設定し、それによって間接的にＬＥＤドライバ１４が出力する駆動信号の電流値を設定する例について説明した。しかし、上記パラメータの値に従い、駆動信号の電流値を直接設定できるようにしてもよい。
【００５０】
また、上述の実施形態では、発光素子としてＬＥＤを用いる場合について説明した。しかし、その他の発光素子を制御する場合にも、この発明は適用可能である。例えば、陰極管、ＬＤ（レーザダイオード）、有機ＥＬ（エレクトロルミネッセンス）、プラズマ、放電管、半導体レーザ等の、他の発光素子の発光光量を制御する場合にも、本発明は適用可能である。
【００５１】
また、上述の実施形態における制御信号生成装置を搭載可能な装置も、音響信号処理装置に限られない。オートバイの計器を構成する表示パネルをはじめ、発光素子を備える任意の機器に搭載可能である。
また、以上述べてきた構成及び変形例は、矛盾しない範囲で適宜組み合わせて適用することも可能である。
【産業上の利用可能性】
【００５２】
以上の説明から明らかなように、この発明によれば、光量が低い領域での高分解能と、全体としての広いダイナミックレンジとを両立した光量の調整を、安価に行えるようにすることができる。
従って、この発明を適用することにより、発光素子の光量調整における利便性を向上させることができる。
【符号の説明】
【００５３】
１１…コントローラ、１２…ＤＣ変調回路、１３…ＰＷＭ変調回路、１４…ＬＥＤドライバ、１５…ＬＥＤ、３０…デジタルミキサ、３１…ＣＰＵ、３２…フラッシュメモリ、３３…ＲＡＭ、３４…表示器、３５…操作子、３６…波形Ｉ／Ｏ、３７…ＤＳＰ
【図１】
2014186972.tif 000003
【図２】
2014186972.tif 000004
【図３】
2014186972.tif 000005
【図４】
2014186972.tif 000006
【図５】
2014186972.tif 000007
【図６】
2014186972.tif 000008